(57)【特許請求の範囲】
【請求項１】
建物最上階部分の室内空調設備の負荷低減方法であって、前記建物の屋根部分に雨滴を受承可能な状態で石炭灰を平面状に敷設し、雨滴は通過させるが前記石炭灰は通過させない編み目が形成されたシート状の覆いを前記石炭灰に被せることを特徴とする建物最上階部分の室内空調設備の負荷低減方法。
【請求項２】
請求項１に記載の建物最上階部分の室内空調設備の負荷低減方法であって、前記屋根部分に上方が開口する一つ以上のケースを敷設し、前記ケースに雨滴を受承可能な状態で石炭灰を平面状に収容することを特徴とする建物最上階部分の室内空調設備の負荷低減方法。
【請求項３】
請求項１又は２に記載の建物最上階部分の室内空調設備の負荷低減方法であって、貯水槽に貯水されている雨水を前記石炭灰に撒水することを特徴とする建物最上階部分の室内空調設備の負荷低減方法。
【請求項４】
請求項１乃至３のいずれか一項に記載の建物最上階部分の室内空調設備の負荷低減方法であって、送風機構により前記石炭灰に向けて風を送り込むことを特徴とする建物最上階部分の室内空調設備の負荷低減方法。
【請求項５】
請求項１乃至４のいずれか一項に記載の建物最上階部分の室内空調設備の負荷低減方法であって、前記石炭灰を、石炭灰、セメント、及びベントナイトを加水混合して造粒した粒状体として前記屋根部分に敷設することを特徴とする建物最上階部分の室内空調設備の負荷低減方法。
【請求項６】
請求項５に記載の建物最上階部分の室内空調設備の負荷低減方法であって、前記粒状体は、石炭灰を８８％、セメントを９％、ベントナイトを含んだ粘土を３％、の割合で混合して造粒したものであることを特徴とする建物最上階部分の室内空調設備の負荷低減方法。
【発明の詳細な説明】
【技術分野】
【０００１】
この発明は、建物最上階部分の室内空調設備の負荷低減方法に関する。
【背景技術】
【０００２】
昨今、都市環境の急激な変化に伴いヒートアイランド現象が問題になっている。ヒートアイランド現象に対する対策として、例えば、特許文献１には、フィルター層と、路盤材に補足材として石炭灰造粒物を混合した保水性路盤材からなる保水性路盤層と、透水性を備えた表層とが順次積層されてなる、路床層上に築造される透水性舗装構造体が記載されている。
【０００３】
また特許文献２には、表面がピートモスで覆われたクリンカアッシュを骨材とする多孔質コンクリートからなる保水性コンクリートブロックが記載されている。
【０００４】
また特許文献３には、開粒度アスファルトコンクリートの間隙部に石炭灰を主体とするスラリーを充填させた表層を成すアスファルト保水層と、このアスファルト保水層の下側に位置するとともに、石炭灰固化砕石を主体とし所定の密度に締め固められた石炭灰固化砕石貯水層とからなる給水型保水性舗装構造が記載されている。
【０００５】
また特許文献４には、屋上緑化技術に関し、保水性及び保肥性を有する緑化用材料として、ゼオライト５０〜９０重量％と、可塑性粘土５〜４９．９重量％と、アルカリ（土類）金属化合物０．１〜３０重量％とを含むゼオライト含有組成物が記載されている。
【０００６】
また特許文献５には、建物等の屋根上にパーライト等保水性を有する軽量人工土壌材を敷き込み軽量人工土壌材層とし、その上に砂利を敷設し砂利層とした軽量保水性断熱屋根が記載されている。
【先行技術文献】
【特許文献】
【０００７】
【特許文献１】特開２０１０−２２９７０７号公報
【特許文献２】特開２００８−３０３６２０号公報
【特許文献３】特開２００６−２１４１４７号公報
【特許文献４】国際公開ＷＯ２００６／０５４７１８号
【特許文献５】特開２００２−３６４１３０号公報
【発明の概要】
【発明が解決しようとする課題】
【０００８】
地球温暖化やヒートアイランド現象により、建物に設けられている空調設備の負荷の上昇が問題になっている。建物を冷却するために、例えば、特許文献１乃至３で用いられているような保水性の高い素材を用いた場合には、製造にかかる手間や高額な導入コストが問題となる。また例えば、特許文献４，５に記載されているように屋上緑化を行うことで、建物の冷却効果をある程度期待できるが、屋上緑化は一般に撒水や土壌の管理に要する手間やコストが問題になる。
【０００９】
本発明はこのような知見に基づいてなされたもので、建物最上階部分の室内空調設備の負荷を効率よく低減することが可能な室内空調設備の負荷低減方法を提供することを目的とする。
【課題を解決するための手段】
【００１０】
上記目的を達成するための本発明の一つは、建物最上階部分の室内空調設備の負荷低減方法であって、前記建物の屋根部分に雨滴を受承可能な状態で石炭灰を敷設することとする。
【００１１】
このように建物の屋根部分に雨滴を受承可能な状態で石炭灰を敷設するようにすれば、降雨時に石炭灰が雨水を吸収し、晴天時にこの水が蒸発して気化熱を奪うため特に建物の最上階部分が冷却される。そのため、建物の最上階部分の室内空調設備の負荷を確実に軽減することができる。また火力発電所等における廃棄物である石炭灰を有効に利用することができる。
【００１２】
上記目的を達成するための本発明の他の一つは、上記の建物最上階部分の室内空調設備の負荷低減方法であって、雨滴は通過させるが前記石炭灰は通過させない編み目が形成されたシート状の覆いを前記石炭灰に被せることとする。
【００１３】
このように雨滴は通過させるが石炭灰は通過させないシート状の覆いを石炭灰に被せるようにすれば、降雨時は雨滴を石炭灰に確実に吸収させることができるとともに、乾燥時は風による石炭灰の飛散を確実に防ぐことができる。
【００１４】
上記目的を達成するための本発明の他の一つは、上記の建物最上階部分の室内空調設備の負荷低減方法であって、前記屋根部分に上方が開口する一つ以上のケースを敷設し、前記ケースに雨滴を受承可能な状態で石炭灰を収容することとする。
【００１５】
このように石炭灰を上方が開口するケースに収容した状態で敷設するようにすることで、石炭灰の取り扱いが容易になり、屋根部分に機械基礎等の障害物が存在して十分なスペースが確保できないような状況でも、石炭灰を屋根部分に容易に敷設することができる。
【００１６】
上記目的を達成するための本発明の他の一つは、上記の建物最上階部分の室内空調設備の負荷低減方法であって、貯水槽に貯水されている雨水を前記石炭灰に撒水することとする。
【００１７】
このように、貯水槽に貯水されている雨水を石炭灰に撒水するようにすれば、降雨が少ない時期でも石炭灰を含水状態にすることができ、降雨が少ない時期でも建物最上階部分の冷却効果を期待することができる。
【００１８】
上記目的を達成するための本発明の他の一つは、上記の建物最上階部分の室内空調設備の負荷低減方法であって、送風機構により前記石炭灰に向けて風を送り込むこととする。
【００１９】
このように送風機構により積極的に石炭灰に風を送り込むようにすることで、石炭灰が吸収した水分の蒸発を促進することができ、建物を効率よく冷却することができる。
【００２０】
上記目的を達成するための本発明の他の一つは、前記石炭灰を、石炭灰、セメント、及びベントナイトを加水混合して造粒した粒状体として前記屋根部分に敷設することとする。
【００２１】
石炭灰としてこのような成分で造粒されたものを用いることで、石炭灰を粒状体のまま長期間安定して維持することができ、石炭灰の飛散を確実に防ぐことができる。
【００２２】
上記目的を達成するための本発明の他の一つは、前記粒状体は、石炭灰を８８％、セメントを９％、ベントナイトを含んだ粘土を３％、の割合で混合して造粒することとする。
【００２３】
石炭灰としてこのような成分割合で造粒されたものを用いた場合は石炭灰を粒状体の状態に長期に亘って安定して維持することができ、自然崩壊により石炭灰が飛散してしまうのを確実に防ぐことができる。
【００２４】
その他、本願が開示する課題、及びその解決方法は、発明を実施するための形態の欄、及び図面により明らかにされる。
【発明の効果】
【００２５】
本発明によれば、建物最上階部分の室内空調設備の負荷を効率よく低減することができる。
【図面の簡単な説明】
【００２６】
【図１】建物最上階部分の室内空調設備の負荷低減方法の一実施形態を説明する図である。
【図２】建物最上階部分の室内空調設備の負荷低減方法の一実施形態を説明する図である。
【図３】シート状の覆いを被せた屋根部分１５を説明する図である。
【図４】石炭灰２５を収容するケース４０を説明する図である。
【図５】ネット８０を装着したケース４０を説明する図である。
【図６】貯水槽５０を設けた屋根部分１５を説明する図である。
【図７】送風機構６０を設けた屋根部分１５を説明する図である。
【図８】石炭灰２５の粒状体を説明する図である。
【発明を実施するための形態】
【００２７】
図１及び図２に、建物最上階部分の室内空調設備の負荷低減方法の一実施形態を示している。これらの図に示しているように、エアコン、空気清浄機等の室内空調設備１１が最上階部分に設けられている建物１０（ビル、工場、住宅、病院、ホテル、学校、倉庫等）の屋根部分１５に、火力発電所などで発生した石炭灰２５を、雨滴を受承可能な状態で敷設している。
【００２８】
ここで石炭灰２５は、吸水性、保水性が高く、図１に示す如く雨天時には屋根部分１５に敷設された石炭灰２５が雨滴を効率よく吸収する。一方、雨天時以外の期間においては、図２に示す如く石炭灰２５に吸収されている水が蒸発して建物１０から気化熱を奪い建物１０の最上階部分が冷却される。
【００２９】
このように、上記負荷低減方法によれば、石炭灰２５に吸収された水の気化熱を利用して建物１０の最上階部分を効率よく冷却することができる。そのため、無駄なエネルギーを要さずして建物１０の最上階部分に設けられている室内空調設備１１の負荷を効率よく低減することができる。
【００３０】
ところで、屋根部分１５に敷設する石炭灰２５として砂状のものを用いた場合は風で石炭灰２５が飛散しやすく、建物１０の外壁を汚したり周辺の空気を汚すなど、周囲の環境に影響を与える虞もある。そこで例えば、図３に示す如く、敷設した石炭灰２５の上に雨滴は通過させるが石炭灰２５は通過させない編み目が形成されたシート状の覆い（符号３０）を被せて石炭灰２５の飛散を防ぐようにしてもよい。
【００３１】
また屋根部分１５に直に石炭灰２５を敷設してしまうと、屋根部分１５を汚してしまう虞があり、また石炭灰２５の交換や撤去時等に作業負担が大きくなって取り扱いも不便である。そこで、例えば、図４に示す如く、石炭灰２５を雨滴を受承可能な状態で上方が開口するケース４０に収容し、このケース４０を単数もしくは複数個、屋根部分１５の適所に敷設するようにしてもよい。
【００３２】
このように石炭灰２５をケース４０に収容してユニット化した状態で敷設することで、屋根部分１５を汚してしまう虞がなくなり、石炭灰２５の取り回しも容易になる。またケース４０の大きさを適切に設定すれば、屋根部分１５に機械基礎等の障害物が存在しているような状況においても容易に石炭灰２５を敷設することができる。
【００３３】
尚、このように石炭灰２５をユニット化して敷設する場合には、例えば、図５に示す如く、ユニット（ケース４０）ごとにネット８０（シート状の覆い）を被せ、ネット８０の周囲を固定具８２等を用いて固定するようにしてもよい。
【００３４】
降雨が少ない時期は石炭灰２５の含水量が減って建物１０の最上階部分の冷却効果が低下してしまうこともある。そこで例えば図６に示す如く、雨水を貯留する貯水槽５０を設け、貯水槽５０に貯留された水をポンプ機構等を用いて積極的に石炭灰２５に撒水するようにしてもよい。
【００３５】
また逆に湿潤な時期等には、石炭灰２５からの水の蒸発量が減って建物１０の最上階部分の冷却効果が低下してしまう。そこで例えば図７に示す如く、屋根部分１５に送風機構６０を設けて石炭灰２５に向けて積極的に風を送り込み、石炭灰２５からの水の蒸発を促進させるようにしてもよい。
【００３６】
石炭灰２５は、例えば、粒状体として屋根部分１５に敷設するようにしてもよい。図８に粒状に成形した石炭灰２５の一例を示している。この粒状体は、例えば石炭灰２５を８８％、セメントを９％、ベントナイトを含んだ粘土を３％、の割合で混合（加水混合）して造粒したものである。粒状体の直径は１０ｍｍ以上である。このように石炭灰２５として粒状に成形したものを用いた場合は、砂状の場合に比べて取り扱いが容易になる上、風による石炭灰２５の飛散も防ぐことができる。
【００３７】
ところで、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。例えば、石炭灰２５の保水性を向上すべく、屋根部分１５やケース４０の底に導水性シートを敷き、その上に石炭灰２５を敷設（収容）するようにしてもよい。
【符号の説明】
【００３８】
１０  建物
１１  室内空調設備
１５  屋根部分
２５  石炭灰
４０  ケース
５０  貯水槽
６０  送風機構
【図１】
0005340328.tif 000002
【図２】
0005340328.tif 000003
【図３】
0005340328.tif 000004
【図５】
0005340328.tif 000005
【図６】
0005340328.tif 000006
【図７】
0005340328.tif 000007
【図８】
0005340328.tif 000008
【図４】
0005340328.tif 000009